(57)【要約】【課題】ユーザの目的地に対応付けられている広告情報を提示する技術を改善する。【解決手段】ユーザの移動先として推定された目的地に対応付けられている広告情報を受信する通信部１１と、ユーザの移動開始前に広告情報をユーザに提示する制御部１６と、を備え、制御部１６は、ユーザが目的地への移動中である場合、広告情報の提示を移動開始前よりも制限する。【選択図】図１
2019204352.tif 000002
【特許請求の範囲】
【請求項１】
ユーザの移動先として推定された目的地に対応付けられている広告情報を受信する通信部と、
前記ユーザの移動開始前に前記広告情報を前記ユーザに提示する制御部と、
を備え、
前記制御部は、前記ユーザが移動中である場合、前記広告情報の提示を移動開始前よりも制限する、情報提示装置。
【請求項２】
請求項１に記載の情報提示装置であって、
前記制御部は、前記ユーザが移動中である場合、前記広告情報を提示しない、情報提示装置。
【請求項３】
請求項１又は２に記載の情報提示装置であって、
前記ユーザの出発地が前記ユーザの拠点であると判定されたか否かに応じて、前記制御部による前記広告情報の提示量を変更する、情報提示装置。
【請求項４】
請求項３に記載の情報提示装置であって、
前記出発地が前記ユーザの拠点と判定されず、かつ、前記目的地が前記ユーザの自宅であると推定された場合、前記制御部による前記広告情報の提示を停止する、情報提示装置。
【請求項５】
請求項３に記載の情報提示装置であって、
前記出発地が前記ユーザの拠点と判定されず、かつ、前記目的地が前記ユーザの自宅であると推定された場合、前記制御部による前記広告情報の提示量を増やす、情報提示装置。
【請求項６】
請求項１乃至５のいずれか一項に記載の情報提示装置であって、
前記制御部は、情報提示装置の起動後から移動開始前の間で前記広告情報を前記ユーザに提示する、情報提示装置。
【請求項７】
請求項１乃至６のいずれか一項に記載の情報提示装置であって、
前記制御部は、複数の異なる種別の広告情報を同時に提示する、情報提示装置。
【請求項８】
請求項１乃至７のいずれか一項に記載の情報提示装置であって、
前記広告情報に対するユーザ入力を受け付ける入力部をさらに備え、
前記制御部は、前記ユーザ入力に基づき前記広告情報に対応付けられた前記目的地までの経路案内処理を実行する、情報提示装置。
【請求項９】
ユーザの目的地を推定するステップと、
前記目的地に対応付けられている広告情報を受信するステップと、
前記ユーザの移動開始前に前記広告情報を前記ユーザに提示するステップと、
を含み、
前記ユーザが移動中である場合、前記広告情報の提示を移動開始前よりも制限する、情報提示方法。
【請求項１０】
情報提示装置に、
ユーザの移動先として推定された目的地に対応付けられている広告情報を受信するステップと、
前記ユーザの移動開始前に前記広告情報を前記ユーザに提示するステップと、
を実行させるプログラムであって、
前記ユーザが移動中である場合、前記広告情報の提示を移動開始前よりも制限する、プログラム。
【発明の詳細な説明】
【技術分野】
【０００１】
本開示は、広告情報を提示する情報提示装置、情報提示方法、及びプログラムに関する。
【背景技術】
【０００２】
従来から、車両のナビゲーション装置等で実行される経路探索サービスにおいて、走行経路上の広告情報を提示する技術がある。例えば特許文献１には、ナビゲーション装置により経路案内を行っていない場合であっても、走行経路を推測し、推測した走行経路上の広告情報を提示することのできる広告提示装置が開示されている。
【先行技術文献】
【特許文献】
【０００３】
【特許文献１】特開２００４−０６９３１８号公報
【発明の概要】
【発明が解決しようとする課題】
【０００４】
走行経路上の施設等、目的地に対応付けられている広告情報は、例えばユーザが移動前であるか移動中かどうかにより、提示する必要性及び内容等が異なり得る。このように目的地に対応付けられた広告情報の提示に係る技術には、改善の余地があった。
【０００５】
かかる事情に鑑みてなされた本発明の目的は、ユーザの目的地に対応付けられている広告情報を提示する技術を改善することにある。
【課題を解決するための手段】
【０００６】
本開示の一実施形態に係る情報提示装置は、
ユーザの移動先として推定された目的地に対応付けられている広告情報を受信する通信部と、
前記ユーザの移動開始前に前記広告情報を前記ユーザに提示する制御部と、
を備え、
前記制御部は、前記ユーザが移動中である場合、前記広告情報の提示を移動開始前よりも制限する。
【０００７】
また本開示の一実施形態に係る情報提示方法は、
ユーザの目的地を推定するステップと、
前記目的地に対応付けられている広告情報を受信するステップと、
前記ユーザの移動開始前に前記広告情報を前記ユーザに提示するステップと、
を含み、
前記ユーザが移動中である場合、前記広告情報の提示を移動開始前よりも制限する。
【０００８】
また本開示の一実施形態に係るプログラムは、
情報提示装置に、
ユーザの移動先として推定された目的地に対応付けられている広告情報を受信するステップと、
前記ユーザの移動開始前に前記広告情報を前記ユーザに提示するステップと、
を実行させるプログラムであって、
前記ユーザが移動中である場合、前記広告情報の提示を移動開始前よりも制限する。
【発明の効果】
【０００９】
本開示における情報提示装置等によれば、ユーザの目的地に対応付けられている広告情報を提示する技術を改善することができる。
【図面の簡単な説明】
【００１０】
【図１】本発明の一実施形態に係る情報提示システムの概略構成を示す図である。
【図２】広告情報を含む表示画面の一例を示す。
【図３】広告データベースのデータ構造の一例を示す図である。
【図４】本発明の一実施形態に係る情報提示システムの動作を示すシーケンス図である。
【図５】広告情報を含む表示画面の他の一例を示す。
【発明を実施するための形態】
【００１１】
以下、本発明の一実施形態について説明する。本実施形態では、一例として情報提示装置１０が車両内にて用いられる場合について説明する。
【００１２】
（情報提示システムの構成）
図１を参照して、本発明の一実施形態に係る情報提示システム１の概要について説明する。情報提示システム１は、情報提示装置１０と、車両２０と、サーバ３０と、広告データサーバ４０とを備える。情報提示装置１０、サーバ３０、及び広告データサーバ４０は、ネットワーク５０に接続される。ネットワーク５０は、例えば移動体通信網及びインターネットを含むが、これらに限られず、任意の通信網を含んでもよい。
【００１３】
情報提示装置１０は、例えば車載機、スマートフォン又はタブレット端末等の汎用の情報提示装置であるが、これらに限られず、例えば情報提示システム１に専用の装置等、任意の端末であってもよい。本実施形態では、情報提示装置１０は、車両２０に搭載される車載機であるとして説明する。車両２０は、例えば自動車であるが、これに限られず、人間が搭乗可能な任意の車両であってもよい。サーバ３０は、１つ又は互いに通信可能な複数のサーバ装置を含む。本実施形態では、説明の簡便のため、サーバ３０が１つのサーバ装置である場合について説明する。広告データサーバ４０は、１つ又は互いに通信可能な複数のサーバ装置を含む。本実施形態では、説明の簡便のため、広告データサーバ４０が１つのサーバ装置であるものとして説明する。
【００１４】
本実施形態に係る情報提示システム１において、情報提示装置１０、サーバ３０、及び広告データサーバ４０が協働してユーザに対して広告情報の提示を行う。概要として情報提示システム１は、ユーザの目的地を推定し、推定した目的地に対応付けられている広告情報を、ユーザの移動開始前に当該ユーザに提示する。サーバ３０は、情報提示装置１０から位置情報を受信し、当該位置情報等に基づきユーザの目的地を推定する。またサーバ３０は、推定した目的地に対応付けられている広告情報を広告データサーバ４０から受信する。サーバ３０は情報提示装置１０に広告情報を送信し、情報提示装置１０は、移動開始前に当該広告情報をユーザに提示する。ここで情報提示装置１０は、ユーザが移動中には、広告情報の提示を制限する。具体的には例えば情報提示装置１０は、ユーザが移動中に広告情報の提示を停止する。
【００１５】
本実施形態に係る情報提示システム１によれば、情報提示装置１０が、推定した目的地に対応付けられた広告情報を移動開始前にユーザに提示し、移動中には広告情報の提示を制限する。これにより、広告情報をユーザが移動する前に提示してユーザの移動を支援し、かつ目的地に向けて移動中において広告情報の提示を制限して、ユーザが不快に感じることを防止できる。
【００１６】
次に、情報提示システム１の各構成について、詳細に説明する。
【００１７】
（情報提示装置の構成）
図１に示すように、情報提示装置１０は、通信部１１と、記憶部１２と、位置情報取得部１３と、出力部１４と、入力部１５と、制御部１６と、を備える。
【００１８】
通信部１１は、ネットワーク５０に接続する通信モジュールを含む。例えば、通信部１１は、４Ｇ（4th Generation）及び５Ｇ（5th Generation）等の移動体通信規格に対応する通信モジュールを含んでもよい。通信部１１は、ＤＣＭ（Data Communication Module）等の通信機であってもよい。本実施形態において、情報提示装置１０は、通信部１１を介してネットワーク５０に接続される。
【００１９】
記憶部１２は、１つ以上のメモリを含む。本実施形態において「メモリ」は、例えば半導体メモリ、磁気メモリ、又は光メモリ等であるが、これらに限られない。記憶部１２に含まれる各メモリは、例えば主記憶装置、補助記憶装置、又はキャッシュメモリとして機能してもよい。記憶部１２は、情報提示装置１０の動作に用いられる任意の情報を記憶する。例えば、記憶部１２は、システムプログラム、アプリケーションプログラム、情報提示装置１０の識別情報、及びユーザの識別情報等を記憶してもよい。アプリケーションプログラムは、例えば経路案内用のプログラムを含む。またアプリケーションプログラムは、本システムに係る専用のアプリケーションを含んでもよい。記憶部１２に記憶された情報は、例えば通信部１１を介してネットワーク５０から取得される情報で更新可能であってもよい。
【００２０】
位置情報取得部１３は、任意の衛星測位システムに対応する１つ以上の受信機を含む。例えば、位置情報取得部１３は、ＧＰＳ（Global Positioning System）受信機を含んでもよい。位置情報取得部１３は、情報提示装置１０の位置情報を取得する。
【００２１】
出力部１４は、ユーザに対して情報を出力する１つ以上の出力インタフェースを含む。例えば、出力部１４に含まれる出力インタフェースは、情報を映像で出力するパネルディスプレイ、ヘッドアップディスプレイ又は情報を音声で出力するスピーカ等であるが、これらに限られず、任意の出力インタフェースであってもよい。本実施形態において「映像」は、テキスト、静止画像、及び動画像を含んでもよい。
【００２２】
入力部１５は、ユーザ入力を検出する１つ以上の入力インタフェースを含む。例えば、入力部１５に含まれる入力インタフェースは、物理キー、静電容量キー、出力部１４のパネルディスプレイと一体的に設けられたタッチスクリーン、又は音声入力を受け付けるマイク等であるが、これらに限られず、任意の入力インタフェースであってもよい。
【００２３】
制御部１６は、１つ以上のプロセッサを含む。本実施形態において「プロセッサ」は、汎用のプロセッサ、又は特定の処理に特化した専用のプロセッサであるが、これらに限られない。制御部１６は、情報提示装置１０全体の動作を制御する。
【００２４】
例えば、制御部１６は、通信部１１を介して、位置情報取得部１３により取得された情報提示装置１０の位置情報をサーバ３０に通知する。サーバ３０に対する位置情報の通知は、情報提示装置１０の起動時、すなわちアクセサリー電源のオン時（ＡＣＣ−ＯＮ時）に行う。サーバ３０に対する位置情報の通知は、起動時の他、任意のタイミングで行われてもよい。例えば、制御部１６は、所定の時間間隔で又は情報提示装置１０が特定の状態になる毎に、サーバ３０に対する通知を行ってもよい。
【００２５】
また制御部１６は、通信部１１を介してサーバ３０にプローブデータ及びユーザ情報を送信する。プローブデータは、車両２０の移動日時及び位置による移動履歴に係るデータ、並びに前後加速度、左右加速度による挙動履歴のデータを含む。ユーザ情報は、情報提示装置１０に対するユーザ入力の操作履歴、ユーザの個人情報、ユーザアクションの履歴を含んでよい。
【００２６】
また制御部１６は、サーバ３０により推定された目的地に対応付けられている広告情報を、通信部１１を介してサーバ３０から受信する。広告情報は、商品又はサービスに関する情報を含む。「目的地に対応付けられている広告情報」は、目的地である施設の広告情報、目的地近辺の施設の広告情報、及び目的地までの経路における施設の広告情報を含む。移動経路上の施設等、目的地に対応付けられている広告情報をユーザに提示することで、有用な広告をユーザに提示する可能性を高めることができる。
【００２７】
また制御部１６は、ユーザが移動開始前であるか否かを判定する。当該判定は、車両２０のセンサ情報に基づき行う。制御部１６は、目的地への移動開始前である場合、出力部１４により広告情報をユーザに提示する。広告情報の提示は、映像及び音声の少なくともいずれか一方で行う。
【００２８】
例えば制御部１６は、広告情報の提示の一態様として、画面上にテキスト等を表示してもよい。図２に、出力部１４により提示される広告情報を含む表示画面の一例を示す。ここでは、出力部１４が入力部１５と一体的に設けられたタッチスクリーンである場合について説明する。出力部１４は、例えば表示画面１４０を表示する。表示画面１４０は、地図情報を含む経路案内情報１４１と、広告情報１４２とを含む。図２に示す例では、広告情報１４２は、イベント情報に係るテキストを含む。イベント情報は、例えば「ポイント５倍ＤＡＹ」、「半額セール」等である。
【００２９】
ここで情報提示装置１０は、広告情報１４２に対するユーザアクションを検知してもよい。ユーザアクションはユーザ入力を含んでもよい。ユーザ入力を受け付けるために広告情報１４２は、広告情報１４２に係る施設に立ち寄るかどうかを選択するための入力ボタン１４３、１４４を含んでもよい。ユーザ入力を受け付けると、制御部１６は、ユーザ入力に基づく処理を実行する。例えば制御部１６は、ユーザ入力に基づき広告情報に対応付けられている目的地までの経路案内処理を実行する。このようにすることで本システムの利便性を向上させることができる。また制御部１６は、ユーザ入力に基づき、当該ユーザ入力のログをサーバ３０に送信してもよい。サーバ３０は当該ユーザ入力のログに基づき、後述する広告データベース３２１を更新してもよい。このようにすることで、よりユーザに適合した広告情報を提示することができる。
【００３０】
また制御部１６は、ユーザが移動開始後である場合、つまりユーザが移動中である場合に、出力部１４による広告情報の提示を移動開始前よりも制限する。具体的には例えば制御部１６は、ユーザが移動中である場合には、出力部１４による広告情報の提示を停止する。換言すると制御部１６は、情報提示装置１０の起動後から移動開始前の間で広告情報をユーザに提示する。他方で制御部１６は、ユーザが移動中である場合には、出力部１４により広告情報を提示しない。
【００３１】
（サーバの構成）
図１に示すように、サーバ３０は、サーバ通信部３１と、サーバ記憶部３２と、サーバ制御部３３と、を備える。
【００３２】
サーバ通信部３１は、ネットワーク５０に接続する通信モジュールを含む。例えば、サーバ通信部３１は、所定の有線規格又は無線規格に対応する通信モジュールを含んでもよい。本実施形態において、サーバ３０は、サーバ通信部３１を介してネットワーク５０に接続される。
【００３３】
サーバ記憶部３２は、１つ以上のメモリを含む。サーバ記憶部３２に含まれる各メモリは、例えば主記憶装置、補助記憶装置、又はキャッシュメモリとして機能してもよい。サーバ記憶部３２は、サーバ３０の動作に用いられる任意の情報を記憶する。例えば、サーバ記憶部３２は、情報提示装置１０等から収集した情報を記憶する。また例えばサーバ記憶部３２は、後述する広告データベース３２１を記憶する。また例えばサーバ記憶部３２は、システムプログラム、アプリケーションプログラム、管理データベース等を記憶してもよい。サーバ記憶部３２に記憶された情報は、例えばサーバ通信部３１を介してネットワーク５０から取得される情報で更新可能であってもよい。
【００３４】
サーバ制御部３３は、１つ以上のプロセッサを含む。サーバ制御部３３は、サーバ３０全体の動作を制御する。
【００３５】
例えばサーバ制御部３３は、サーバ通信部３１を介して情報提示装置１０から、情報提示装置１０の起動時のユーザの位置情報を受信する。サーバ制御部３３は、受信した位置情報に基づき、ＨＯＭＥ／ＡＷＡＹ判定を行う。ＨＯＭＥ／ＡＷＡＹ判定では、サーバ制御部３３は、情報提示装置１０の起動時のユーザの位置情報が、ユーザの拠点（ＨＯＭＥ）であるか否（ＡＷＡＹ）かを判定する。換言すると、ＨＯＭＥ／ＡＷＡＹ判定では、サーバ制御部３３は、ユーザの出発地の位置が、ユーザの拠点であるか否かを判定する。ここで拠点は、例えばユーザの生活圏内である。
【００３６】
また例えばサーバ制御部３３は、サーバ通信部３１を介して情報提示装置１０からプローブデータ及びユーザ情報を受信する。サーバ制御部３３は、プローブデータ及びユーザ情報をサーバ記憶部３２に蓄積する。サーバ制御部３３は、プローブデータ及びユーザ情報に基づき、当該ユーザの行動パターンに係るデータ（以下、行動パターンデータという）を生成する。行動パターンデータは、例えば「平日は、毎日午前中にスーパーマーケットで買い物をする」、「平日は、昼食時に友人と外食をすることがある」、「休日は、家族でアミューズメント施設を訪れることがある」等である。ユーザ情報は、広告情報に対するユーザアクションに基づく、ユーザ入力等のログを含む。サーバ制御部３３は、当該ログに基づき、行動パターンデータ及び後述する広告データベース３２１を更新する。
【００３７】
また例えばサーバ制御部３３は、出発地の判定結果、日時、及び行動パターンデータに基づき、ユーザの移動先である目的地を推定する。具体的には例えば出発地がユーザの拠点であり、平日午前中である場合、サーバ制御部３３は目的地がスーパーマーケットであると判定する。また例えば出発地がユーザの拠点であり、休日である場合、サーバ制御部３３は、目的地がアミューズメント施設であると判定する。
【００３８】
また例えばサーバ制御部３３は、推定された目的地が、よく行く施設であるか否かを判定する。また例えばサーバ制御部３３は、現在日時が、ユーザの平日であるか休日であるかの判定（平日・休日判定）を行う。よく行く施設であるか否かの判定、及び平日・休日判定は、それぞれ現在日時及びユーザの行動パターンデータに基づき行う。
【００３９】
また例えばサーバ制御部３３は、サーバ通信部３１を介して広告データサーバ４０に広告情報を要求し、当該広告情報を受信する。ここでサーバ制御部３３は、広告情報の要求を、ＨＯＭＥ／ＡＷＡＹ判定の結果、目的地推定の結果、よく行く施設判定の結果、及び平日・休日判定の結果に基づき行う。サーバ制御部３３は、広告データサーバ４０から、これらの判定結果及び推定結果に適合する広告情報を受信する。これにより、ユーザの出発地、ユーザの目的地、ユーザが頻繁に訪れる施設、ユーザの平日又は休日を考慮した広告情報を取得することができる。
【００４０】
また例えばサーバ制御部３３は、広告データサーバ４０から受信した広告情報を、広告データベース３２１により管理する。図３に、広告データベース３２１のデータ構造３２２を示す。広告データベース３２１は、施設毎の広告情報を管理する。広告データベース３２１は、施設ＩＤと、種別と、頻度と、詳細情報と対応付けて管理する。施設ＩＤは、広告情報に対応する施設を一意に特定するための識別情報である。種別は施設の種類を表し、例えば「スーパーマーケット」、「飲食店」、又は「アミューズメント施設」等である。頻度は、当該施設にユーザが訪れる頻度を示しており、例えば「頻度高」、「頻度中」、又は「頻度低」等の３段階で表される。なお頻度の段階はこれに限られず、任意の段階により表されてもよい。詳細情報は、イベント情報、クーポン情報、駐車場有無、待ち時間、及び営業時間に係る情報を含む。イベント情報は、施設ＩＤに係る施設における、イベント、又はキャンペーンに係る情報を含む。クーポン情報は、施設ＩＤに係る施設で提供される商品又はサービスにおいて使用可能なクーポン又はチラシに係る情報を含む。駐車場有無は、施設ＩＤに係る施設に駐車場が備えられているか否かを示す情報を含む。待ち時間は、施設ＩＤに係る施設での入店までの待ち時間、待ち組み数、又は予約状況に係る情報を含む。営業時間に係る情報は、施設ＩＤに係る施設の営業日、営業時間、定休日、及び臨時休業日に係る情報を含む。広告データベース３２１の情報は、ユーザの行動パターンデータ及び広告データサーバ４０から受信した広告情報に基づき生成される。
【００４１】
サーバ制御部３３は、広告データベース３２１の中から、ユーザに配信すべき広告情報を抽出し、サーバ通信部３１を介して、当該広告情報を情報提示装置１０に送信する。当該広告情報は、広告データベース３２１の詳細情報を含む。広告に係る商品又はサービスの詳細情報も情報提示装置１０に送信して提示させることにより、広告情報に基づき店舗等にユーザが移動した際に所望の商品又はサービスの提供をスムーズに受けることができるかを判断できる。
【００４２】
（広告データサーバの構成）
図１に示すように、広告データサーバ４０は、サーバ通信部４１と、サーバ記憶部４２と、サーバ制御部４３と、を備える。
【００４３】
サーバ通信部４１は、ネットワーク５０に接続する通信モジュールを含む。例えば、サーバ通信部４１は、所定の有線規格又は無線規格に対応する通信モジュールを含んでもよい。本実施形態において、広告データサーバ４０は、サーバ通信部４１を介してネットワーク５０に接続される。
【００４４】
サーバ記憶部４２は、１つ以上のメモリを含む。サーバ記憶部４２に含まれる各メモリは、例えば主記憶装置、補助記憶装置、又はキャッシュメモリとして機能してもよい。サーバ記憶部４２は、広告データサーバ４０の動作に用いられる任意の情報を記憶する。例えばサーバ記憶部４２は、各施設の広告情報を記憶する。また例えばサーバ記憶部４２は、システムプログラム、アプリケーションプログラム、管理データベース等を記憶してもよい。サーバ記憶部４２に記憶された情報は、例えばサーバ通信部４１を介してネットワーク５０から取得される情報で更新可能であってもよい。
【００４５】
サーバ制御部４３は、１つ以上のプロセッサを含む。サーバ制御部４３は、サーバ３０全体の動作を制御する。
【００４６】
例えばサーバ制御部４３は、サーバ通信部４１を介して、サーバ３０から広告情報の要求を受ける。広告情報の要求を受けた場合、サーバ制御部４３は当該要求に対応する広告情報をサーバ３０に送信する。
【００４７】
（情報提示システムの動作）
次に、図４のシーケンス図を参照して、情報提示システム１の動作について説明する。
【００４８】
ステップＳ１０：情報提示装置１０は、起動時に、通信部１１を介して位置情報をサーバ３０に送信する。
【００４９】
ステップＳ２０：サーバ３０は、情報提示装置１０から受信した位置情報に基づきＨＯＭＥ／ＡＷＡＹ判定を行う。
【００５０】
ステップＳ３０：サーバ３０は、ＨＯＭＥ／ＡＷＡＹ判定の結果、日時、及び行動パターンデータに基づき、ユーザの移動先である目的地を推定する。
【００５１】
ステップＳ４０：サーバ３０は、推定された目的地が、ユーザのよく行く施設であるか否かを判定する。
【００５２】
ステップＳ５０：サーバ３０は、平日・休日判定を行う。すなわち現在日時が、ユーザの平日であるか休日であるかを判定する。
【００５３】
ステップＳ６０：サーバ３０は、サーバ通信部３１を介して、広告データサーバ４０に広告情報を要求する。サーバ３０は、広告情報の要求を、ＨＯＭＥ／ＡＷＡＹ判定の結果、目的地推定の結果、よく行く施設判定の結果、及び平日・休日判定の結果に基づき行う。
【００５４】
ステップＳ７０：広告データサーバ４０は、広告情報の要求に基づき、サーバ通信部４１を介して広告情報をサーバ３０に送信する。
【００５５】
ステップＳ８０：サーバ３０は、広告データサーバ４０から受信した広告情報を、広告データベース３２１に蓄積する。
【００５６】
ステップＳ９０：サーバ３０は、サーバ通信部３１を介して、広告データベース３２１に蓄積された広告情報を、情報提示装置１０に送信する。
【００５７】
ステップＳ１００：情報提示装置１０は、ユーザが移動開始前であるか否かを判定する。移動開始前である場合、プロセスはステップＳ１１０に進む。他方で移動開始後である場合、以下のステップＳ１１０からステップＳ１３０は行わず、プロセスは終了する。換言すると、情報提示装置１０はユーザが移動中である場合、広告情報を提示しない。
【００５８】
ステップＳ１１０：情報提示装置１０は、サーバ３０から受信した広告情報を提示する。
【００５９】
ステップＳ１２０：情報提示装置１０は、広告情報に対するユーザアクションとして、ユーザ入力を受け付ける。
【００６０】
ステップＳ１３０：情報提示装置１０は、ユーザ入力を受け付けると、制御部１６にて、ユーザ入力に基づく処理を実行する。例えば情報提示装置１０は、ユーザ入力に基づき広告情報に対応付けられた目的地までの経路案内を実行する。また例えば情報提示装置１０は、ユーザ入力に基づき、当該ユーザ入力のログをサーバ３０に送信してもよい。
【００６１】
以上述べたように、本実施形態に係る情報提示システム１によれば、サーバ３０がユーザの目的地を推定し、目的地に対応付けられる広告情報を情報提示装置１０に送信する。そして情報提示装置１０が移動開始前に広告情報をユーザに提示し、ユーザが目的地への移動中である場合、広告情報の提示を移動開始前よりも制限する。例えば、情報提示装置１０は、ユーザが目的地へ移動を開始する前に広告情報を提示し、目的地への移動を開始して移動中である場合、広告情報を提示しないようにする。これにより、ナビ等で経路案内を受けながら移動しているユーザ等が、広告情報により経路案内が阻害されて不快に感じる恐れを防止することができる。換言すると、ユーザが移動中において、広告情報の提示と経路案内等に係る出力とを調停することで、ドライバーディストラクションの発生を防止することができる。
【００６２】
本発明を諸図面及び実施例に基づき説明してきたが、当業者であれば本開示に基づき種々の変形及び修正を行うことが容易であることに注意されたい。したがって、これらの変形及び修正は本発明の範囲に含まれることに留意されたい。例えば、各手段又は各ステップ等に含まれる機能等は論理的に矛盾しないように再配置可能であり、複数の手段又はステップ等を１つに組み合わせたり、或いは分割したりすることが可能である。
【００６３】
例えば、上述した実施形態において、情報提示装置１０の構成及び機能の一部を任意の他の装置が有してもよい。例えば、情報提示装置１０の構成及び機能の一部を、車両２０に搭載された他の車載装置が有してもよい。あるいは、情報提示装置１０の構成及び機能の一部を、外部のサーバ装置が有してもよい。かかる場合、車両２０は、車両２０に搭載されたＤＣＭ等の車載通信機を介してサーバ装置と通信してもよい。
【００６４】
また本実施の形態では、情報提示装置１０の制御部１６は、ユーザが移動中である場合、出力部１４による広告情報の提示を停止することで広告情報の提示を制限したがこれに限られない。例えば制御部１６は、ユーザが移動中である場合に、移動開始前に出力していた広告情報のうち、広告情報に含まれる詳細情報の一部又は全部を出力しないようにしてもよい。また例えば制御部１６は、移動開始前に音声及び映像により広告情報を出力していた場合、ユーザが移動中には音声での出力を停止し、映像のみで広告情報を出力するようにしてもよい。このようにすることで、例えば移動中における経路案内の音声ガイドが阻害されることを防止できる。また例えば制御部１６は、移動開始前に広告情報をテキスト及びアイコンにより表示していた場合、ユーザが移動中にはテキストによる表示を停止し、アイコンのみを表示するようにしてもよい。あるいは制御部１６は、広告情報を要約、短文化、記号化して表示するようにしてもよい。
【００６５】
また本実施の形態では、サーバ３０のサーバ制御部３３が、出発地の判定結果、日時及び行動パターンデータに基づきユーザの目的地を推定したが、ユーザの目的地の推定方法はこれに限られず、任意の方法を採用することができる。
【００６６】
また本実施の形態では、サーバ制御部３３は、広告情報の要求を、ＨＯＭＥ／ＡＷＡＹ判定の結果、目的地推定の結果、よく行く施設判定の結果、及び平日・休日判定の結果に基づき行うとした。例えばこれらの判定結果に基づき、サーバ制御部３３が広告情報の要求、又は情報提示装置１０への広告情報の送信をしないようにしてもよい。例えば、出発地がユーザの拠点と判定されず、かつ、目的地がユーザの自宅であると推定された場合、サーバ制御部３３は、目的地に対応付けられる広告情報を要求しなくてもよい。サーバ制御部３３は、当該要求を行わず、又は当該広告情報を情報提示装置１０に送信しないことにより、情報提示装置１０による広告情報の提示を停止する。このようにすることで、自宅への帰り道等において不要な広告情報が出力されることを防止してもよい。
【００６７】
また一方で、例えばユーザの出発地がユーザの拠点と判定されず、かつ、目的地がユーザの自宅であると推定された場合、広告情報の提示量を増やすようにしてもよい。このようにすることで、帰宅時において、ユーザが時間を有効活用できるようにしてもよい。すなわち、ユーザの出発地がユーザの拠点であると判定されたか否かに応じて、情報提示装置１０による広告情報の提示量を変更することで、利便性を向上させることができる。
【００６８】
なお本実施の形態では、目的地に対応付けられた広告情報として１つの施設の広告情報を出力する例を示しているがこれに限られない。情報提示装置１０は、目的地に対応付けられた複数の施設の広告情報を出力してもよい。あるいは情報提示装置１０は、複数の目的地にそれぞれ対応付けられた施設の広告情報を出力してもよい。換言すると情報提示装置１０は、複数の異なる種別の広告情報を同時に提示するようにしてもよい。このように複数の広告を同時に提示することで、利便性を向上させることができる。情報提示装置１０に出力させる広告情報は、ユーザが訪れる頻度等に応じて優先度を対応付け、優先度の上位複数の広告情報を表示するようにしてもよい。
【００６９】
また本実施の形態では、情報提示装置１０が車載機である例を示したがこれに限られない。例えば情報提示装置１０は、スマートフォンであってもよい。情報提示装置１０がスマートフォンである場合、情報提示装置１０にインストールされた経路案内用のプログラムを起動した場合に、通信部１１を介して位置情報をサーバ３０に送信する。換言すると情報提示装置１０がスマートフォンである場合、位置情報の送信タイミングは、ＡＣＣ−ＯＮ時の代わりに、プログラムを起動時となる。図５に、情報提示装置がスマートフォンである場合において出力部１４により提示される広告情報の表示画面の一例を示す。出力部１４は、例えば表示画面１４０ｂを表示する。表示画面１４０ｂは、地図情報を含む経路案内情報１４１ｂと、広告情報１４２ｂとを含む。図５に示す例では、広告情報１４２ｂは、イベント情報に係るテキストを含む。また図２と同様に、広告情報１４２ｂは、ユーザ入力を受け付ける入力ボタン１４３ｂ、１４４ｂを含む。
【００７０】
ここで、本実施形態では、一例として情報提示装置１０が車載機又はスマートフォンであって、車両内にて用いられる場合について説明したがこれに限られない。例えば情報提示装置１０は、車両外にて用いられてもよく、移動手段も車両に限らない。一例として、情報提示装置１０がスマートフォンであり、かつ、移動手段が歩行又は電車での移動等であってもよい。また、情報提示装置１０は、車載機一台で構成される例を示したがこれに限られず、複数台で構成してもよい。例えば情報提示装置１０として、車載機とスマートフォンの両方を用いてもよく、車載機とスマートフォンが、それぞれ広告情報をユーザに提示してもよい。
【００７１】
また、上述した実施形態において、情報提示装置１０が、プローブデータ及びユーザ情報をサーバ３０に送信し、サーバ３０がこれらに基づき行動パターンデータを生成する例について説明したがこれに限られない。例えば情報提示装置１０が行動パターンデータを生成し、生成した行動パターンデータを、通信部１１を介してサーバ３０に送信してもよい。
【００７２】
また、例えば携帯電話、スマートフォン、タブレット端末、又はモバイルコンピュータ等の汎用の電子機器を、上述した実施形態に係るサーバ３０、又は広告データサーバ４０として機能させる構成も可能である。具体的には、実施形態に係るサーバ３０、又は広告データサーバ４０の各機能を実現する処理内容を記述したプログラムを、電子機器のメモリに格納し、電子機器のプロセッサによって当該プログラムを読み出して実行させる。したがって、本実施形態に係る発明は、プロセッサが実行可能なプログラムとしても実現可能である。
【００７３】
さらに、本実施形態におけるネットワーク５０には、上述した例以外にも、アドホックネットワーク、ＬＡＮ(Local Area Network)、ＭＡＮ(Metropolitan Area Network)、セルラーネットワーク、ＷＰＡＮ(Wireless Personal Area Network)、ＰＳＴＮ(Public Switched Telephone Network)、地上波無線ネットワーク(Terrestrial Wireless Network)、光ネットワークもしくは他のネットワークまたはこれらいずれかの組合せが含まれる。無線ネットワークの構成要素には、たとえば、アクセスポイント(たとえば、Wi-Fiアクセスポイント)、フェムトセル等が含まれる。さらに、無線通信器機は、Wi-Fi（登録商標）、Bluetooth（登録商標）、セルラー通信技術又はその他の無線技術及び技術標準を用いた無線ネットワークに接続することができる。
【００７４】
このように、本開示内容の種々の側面は、多くの異なる態様で実施することができ、それらの態様はすべて本実施形態の範囲に含まれる。
【符号の説明】
【００７５】
１    情報提示システム
１０    情報提示装置
１１    通信部
１２    記憶部
１３    位置情報取得部
１４    出力部
１５    入力部
１６    制御部
２０    車両
３０    サーバ
３１    サーバ通信部
３２    サーバ記憶部
３２１    広告データベース
３２２    データ構造
３３    サーバ制御部
４０    広告データサーバ
４１    サーバ通信部
４２    サーバ記憶部
４３    サーバ制御部
５０    ネットワーク
１４０、１４０ｂ    表示画面
１４１、１４１ｂ    経路案内情報
１４２、１４２ｂ    広告情報
１４３、１４３ｂ、１４４、１４４ｂ  入力ボタン
【図１】
2019204352.tif 000003
【図２】
2019204352.tif 000004
【図３】
2019204352.tif 000005
【図４】
2019204352.tif 000006
【図５】
2019204352.tif 000007